(57)【特許請求の範囲】
【請求項１】
植物を栽培するための土を支持する土支持底部および同土支持底部の周囲を起立した状態で囲む側壁をそれぞれ有して前記土を上方が開放した状態で収容する土収容部と、
前記土支持底部の一部に帯状に開口しつつ同土支持底部から下方に張り出した有底状の排水溝とを備え、
前記排水溝は、
前記土収容部の深さより深い深さに形成されていることを特徴とするプランター。
【請求項２】
請求項１に記載したプランターにおいて、さらに、
前記側壁に繋がった状態で前記土支持底部より下方に板状に延びる側板を備え、
前記側板は、
前記排水溝の下端よりも下方に延びて前記土支持底部を前記プランターの設置面上で支持することを特徴とするプランター。
【請求項３】
請求項２に記載したプランターにおいて、
前記側板は、
前記排水溝における底部が延びる方向上に設けられており、
前記排水溝は、
同排水溝における底部が延びる方向における両端部が前記側板にそれぞれ連結されていることを特徴とするプランター。
【請求項４】
請求項２または請求項３に記載したプランターにおいて、
前記側板は、
前記土支持底部の下方の領域である下方空間に連通する通気孔がそれぞれ形成されていることを特徴とするプランター。
【請求項５】
請求項４に記載したプランターにおいて、さらに、
前記通気孔を介して前記下方空間に設けられて同下方空間内を冷却または加熱するための冷温配管が設けられていることを特徴とするプランター。
【請求項６】
請求項２ないし請求項５のうちのいずれか１つに記載したプランターにおいて、
前記側板は、
前記土支持底部の外周部よりも外側に形成されていることを特徴とするプランター。
【請求項７】
請求項２ないし請求項６のうちのいずれか１つに記載したプランターにおいて、
前記土収容部、前記排水溝および前記側板は、それぞれ黒色で形成されていることを特徴とするプランター。
【請求項８】
請求項２ないし請求項７のうちのいずれか１つに記載したプランターにおいて、
前記排水溝は、
前記側板を貫通して外部に露出する筒状の排液管を備えていることを特徴とするプランター。
【請求項９】
請求項１ないし請求項８のうちのいずれか１つに記載したプランターにおいて、
前記排水溝は、
前記土支持底部の中央部に形成されており、
前記土支持底部は、
前記排水溝における開口部分に向かって下り傾斜して形成されていることを特徴とするプランター。
【請求項１０】
請求項１ないし請求項９のうちのいずれか１つに記載したプランターにおいて、
前記排水溝は、
底部が下方に向かって湾曲する円弧状に形成されていることを特徴とするプランター。
【発明の詳細な説明】
【技術分野】
【０００１】
本発明は、植物を栽培するためのプランターに関する。
【背景技術】
【０００２】
従来から、植物を栽培するための土を収容する土収容部を有したプランターが知られている。例えば、下記特許文献１には、植物を栽培するための土を収容する容器基体の底部に格子状に排水用の溝となる排水用傾斜溝が形成された栽培容器が開示されている。
【先行技術文献】
【特許文献】
【０００３】
【特許文献１】特開平６−１２５６６４号公報
【０００４】
しかしながら、上記特許文献１に記載された栽培容器においては、排水用傾斜溝の深さが浅いため溝内に栽培する植物の根が到達し易く排水性が損なわれるとともに、根によって滞留した水や液肥によって根腐れが生じるという問題があった。
【０００５】
本発明は上記問題に対処するためなされたもので、その目的は、栽培している植物の根が排水用の溝内に到達し難くして溝内の排水性を長期間維持できるとともに根腐れを防止して植物を健全に育成することができるプランターを提供することにある。
【発明の概要】
【０００６】
上記目的を達成するため、本発明の特徴は、植物を栽培するための土を支持する土支持底部および同土支持底部の周囲を起立した状態で囲む側壁をそれぞれ有して土を上方が開放した状態で収容する土収容部と、土支持底部の一部に帯状に開口しつつ同土支持底部から下方に張り出した有底状の排水溝とを備え、排水溝は、土収容部の深さより深い深さに形成されていることにある。
【０００７】
このように構成した本発明の特徴によれば、プランターは、土収容部の土支持底部に帯状に開口した状態で排水溝を有するとともに、この排水溝の深さが土収容部の深さより深く形成されているため、土収容部内の水や液肥を効率的に排水溝に導きつつ土収容部で栽培している植物の根が排水溝の底部に到達し難くなる。これにより、本発明に係るプランターは、排水溝内の排水性を長期間維持できるとともに根腐れを防止して植物を健全に育成することができる。
【０００８】
この場合、プランターは、土支持底部における排水溝の開口部分の開口幅を狭くする、または同開口部分に液体を透過させつつ土を透過させない袋体やフィルタを介して土収容部内に土を収容することで排水溝内への土の流出を防止できる。この場合、フィルタとしては、樹脂製、金属製または植物繊維製の網状体や多孔質体で構成することができる。なお、本発明に係るプランターで栽培する植物としては、根が収穫物とならない植物（所謂根菜など）、具体的には、アブラナ、キャベツ、コマツナ、チンゲンサイ、ニラ、ニンニク、ネギ、ハクサイ、ホウレンソウ、ミズナまたはレタスなどの所謂葉物野菜や草花が好適である。
【０００９】
また、本発明の他の特徴は、前記プランターにおいて、さらに、側壁に繋がった状態で土支持底部より下方に板状に延びる側板を備え、側板は、排水溝の下端よりも下方に延びて土支持底部をプランターの設置面上で支持することにある。
【００１０】
このように構成した本発明の他の特徴によれば、プランターは、土支持底部の縁部から下方に板状に延びる側板を備えるとともに、この側板が排水溝の下端よりも下方に延びて形成されて土支持底部をプランターの設置面上で支持するため、土支持底部がプランターの設置面に対して排水溝の深さ以上の高さ位置に配置されるとともに設置面と土支持底部との間の空間が側板によって外側空間に対して仕切られる。これにより、本発明に係るプランターは、土収容部内の熱が土支持底部から直接設置面に奪われることが防止されるとともに土支持底部の下方空間の空気の流れを側板で規制して土収容部内の熱が底部から直接外気に奪われることを防止することができるため、土収容部内の温度低下を抑制して植物の育成を促進することができる。特に、冬季においては、側板を設けることは有効である。
【００１１】
また、本発明の他の特徴は、前記プランターにおいて、側板は、排水溝における底部が延びる方向上に設けられており、排水溝は、同排水溝における底部が延びる方向における両端部が側板にそれぞれ連結されていることにある。
【００１２】
このように構成した本発明の他の特徴によれば、プランターは、排水溝が延びる方向における排水溝の両端部が側板に連結されているため、土支持底部が支持する土の荷重を排水溝を介して側板によって支持できる。すなわち、プランターは、排水溝に土支持底部の補強機能を持たせることができるので、安定した状態で土を支持することができる。
【００１３】
また、本発明の他の特徴は、前記プランターにおいて、側板は、土支持底部の下方の領域である下方空間に連通する通気孔がそれぞれ形成されていることにある。
【００１４】
このように構成した本発明の他の特徴によれば、プランターは、土収容部の下方空間が側板に設けられた通気孔を介して外部と連通しているため通気性および採光性を確保して下方空間内の環境が悪化（空気の滞留、カビや害虫の発生）することを防止することができる。
【００１５】
また、本発明の他の特徴は、前記プランターにおいて、さらに、通気孔を介して下方空間に設けられて同下方空間内を冷却または加熱するための冷温配管が設けられていることにある。この場合、冷温風管は、冷水、温水、冷風または温風を通すことができる樹脂材の管材（例えば、塩ビ管）のほか、樹脂材や布材を可撓性のある環状に形成したホース（柔らかい管）で構成することができる。また、冷温配管は、冷水、温水、冷風または温風を流通させるのみであってもよいし、配管側面に孔を設けておいてこの孔から下方空間内に冷水、温水、冷風または温風を流出させるように構成されていてもよい。
【００１６】
このように構成した本発明の他の特徴によれば、プランターは、通気孔を介して下方空間に冷風または温風を供給するための冷温配管が設けられているため、下方空間内を冷却または加温することにより土収容部内の土の温度をコントロールして植物の育成を促進させることができる。
【００１７】
また、本発明の他の特徴は、前記プランターにおいて、側板は、土支持底部の外周部よりも外側に形成されていることにある。
【００１８】
このように構成した本発明の他の特徴によれば、プランターは、側板が土支持底部の外周部よりも外側の位置に突出して形成されているため、土や植物を支持する土収容部を安定的に支持することができる。
【００１９】
また、本発明の他の特徴は、前記プランターにおいて、土収容部、排水溝および側板は、それぞれ黒色で形成されていることにある。
【００２０】
このように構成した本発明の他の特徴によれば、プランターは、土収容部、排水溝および側板がそれぞれ黒色に構成されているため、排水溝内に光が導かれることが防止されて排水溝内に苔、藻または細菌の繁殖を抑制でき、排水溝内の衛生環境を良好に保つことができるとともに清掃負担を軽減することができる。
【００２１】
また、本発明の他の特徴は、前記プランターにおいて、排水溝は、側板を貫通して外部に露出する筒状の排液管を備えていることにある。
【００２２】
このように構成した本発明の他の特徴によれば、プランターは、排水溝が側板を貫通して外部に露出する筒状の排液管を備えているため、排水溝を介して導かれる水や液肥などの液体を回収し易く、プランターの周囲が汚れるのを防止できる。これにより、本発明に係るプランターは、室内に設置することもできる。また、さらに、本発明に係るプランターは、排液管を介して複数のプランター同士を互いに連結することができ、複数のプランターを使用して植物の大量栽培を行うことができる。
【００２３】
また、本発明の他の特徴は、前記プランターにおいて、排水溝は、土支持底部の中央部に形成されており、土支持底部は、排水溝における開口部分に向かって下り傾斜して形成されていることにある。
【００２４】
このように構成した本発明の他の特徴によれば、プランターは、排水溝が土支持底部の中央部に形成されているとともに、土支持底部が排水溝における開口部分に向かって下り傾斜して形成されているため、土収容部内の液体を効率的に排水溝に導いて土収容部内における根腐れを防止できる。また、前記フィルタを網状に形成した場合、プランターは、フィルタの幅を広く形成することで土支持底部上におけるフィルタの配置位置を上方に位置させることができ、土収容部内の土の量を調整することができる。
【００２５】
また、本発明の他の特徴は、前記プランターにおいて、排水溝は、排水溝の底部が下方に向かって湾曲する円弧状に形成されていることにある。
【００２６】
このように構成した本発明の他の特徴によれば、プランターは、排水溝の底部が下方に向かって湾曲する円弧状に形成されているため、排水溝の最深部に液体を集めて排水性を高めることができる。また、本発明に係るプランターによれば、排水溝の底部を方形に形成した場合に比べて角部に液体が滞留して苔、藻または細菌の繁殖を抑制でき、排水溝内の衛生環境を良好に保つことができるとともに清掃負担を軽減することができる。
【図面の簡単な説明】
【００２７】
【図１】第１実施形態に係るプランターの斜視図である。
【図２】（ａ）は、図１（ａ）に示す矢印２ａ方向から見たプランターの正面図である。（ｂ）は、図１（ａ）に示す矢印２ｂ方向から見たプランターの右側面図である。
【図３】（ａ）は、図１（ａ）に示す矢印３ａ方向からから見たプランターの平面図である。（ｂ）は、図１（ａ）に示す矢印３ｂ方向から見たプランターの底面図である。
【図４】第１実施形態に係るプランターを複数連結した状態を示す側面図である。
【図５】図４に示す５−５線から見たプランターの使用状態を示す断面図である。
【図６】第２実施形態に係るプランターの側面図である。
【図７】図６に示す７−７線から見たプランターの断面図である。
【図８】図６に示す７−７線から見たプランターの使用状態を示す断面図である。
【図９】（ａ）、（ｂ）は、流路形成部の変形例を示すプランターの断面図である。
【発明を実施するための形態】
【００２８】
以下、本発明に係るプランターの実施形態について図面を参照しながら説明する。図１は、第１実施形態に係るプランター１００の斜視図である。また、図２（ａ）は、図１に示すプランター１００の正面図である。また、図２（ｂ）は、図１に示すプランター１００の右側面図である。また、図３（ａ）は、図１に示すプランター１００の平面図である。また、図３（ｂ）は、図１に示すプランター１００の底面図である。なお、本明細書において参照する各図は、本発明の理解を容易にするために一部の構成要素を誇張して表わすなど模式的に表している。このため、各構成要素間の寸法や比率などは異なっていることがある。このプランター１００は、葉物野菜からなる植物Ｐを土Ｓを用いて栽培するための容器である。
【００２９】
（第１実施形態に係るプランター１００の構成）
プランター１００は、土収容部１０１を備えている。土収容部１０１は、プランター１００によって栽培する植物Ｐを植える土Ｓを収容する部分であり、上方が開口する方形の箱状に形成されている。具体的には、土収容部１０１は、平面視で長方形状に形成された板状の土支持底部１０２の外周部に４つの側壁１０４がそれぞれ起立した状態で形成されて構成されている。本実施形態においては、土収容部１０１は、後述するココナッツバッグＣＢの縦横が隙間なく収まりつつココナッツバッグＣＢの上側半分が露出する大きさに形成されている。
【００３０】
土支持底部１０２は、土Ｓを下方から支持する部分であり、幅方向Ｗの中央部に長手方向Ｌに沿って開口する排水溝１１０の開口部１１１に向かって下り傾斜して形成されている。すなわち、土支持底部１０２は、排水溝１１０の両側にそれぞれ形成されている。また、土支持底部１０２の下面は、長手方向Ｌに複数配置された幅方向に延びるリブ１０３によって排水溝１１０の外表面および側板１０５ａの内面にそれぞれ連結されている。
【００３１】
４つの側壁１０４は、土収容部１０１内に収容される土Ｓを側方から支持するための部分であり、土支持底部１０２の最外周部から上方に向かって起立して延びる板状体で構成されている。この場合、４つの側壁１０４の高さ、すなわち、土収容部１０１の深さＤ１は、植物Ｐの栽培（植物Ｐの収穫まで）に必要な土Ｓの厚さを確保できる高さ（深さ）に形成されている。本実施形態においては、土収容部１０１の深さＤ１は、土支持底部１０２の最外周部の最も浅い箇所で６ｃｍに形成されるとともに土支持底部１０２における開口部１１１の箇所で７ｃｍに形成されている。
【００３２】
４つの側壁１０４における土支持底部１０２より下方には、それぞれ側板１０５ａ，１０５ｂがそれぞれ繋がって形成されている。側板１０５ａ，１０５ｂは、プランター１００の設置面Ｇ上で土収容部１０１を支持するとともに土支持底部１０２の下方空間を囲う部分であり、前記４つの側壁１０４がそれぞれ下方に延びて形成されている。この場合、４つの側板１０５ａ，１０５ｂは、最下端部が排水溝１１０の最下部よりも下方に位置する長さに形成されている。これにより、排水溝１１０の最下部は、設置面Ｇよりも若干浮いた状態で支持されている。
【００３３】
また、４つの側板１０５ａ，１０５ｂのうち、土支持底部１０２の長手方向Ｌに沿って延びる２つの側板１０５ａは、土支持底部１０２の下方位置で段部１０６を介して同土支持底部１０２の外側に張り出して形成されているとともに、各最下端部が更に外側にフランジ状に張り出して形成されている。つまり、２つの側板１０５ａは、土支持底部１０２の幅よりも広い間隔を介して設けられている。また、４つの側板１０５ａ，１０５ｂのうち、土支持底部１０２の幅方向Ｗに沿って延びる２つの側板１０５ｂにおける土支持底部１０２の下方には、それぞれ２つずつの通気孔１０７が形成されている。
【００３４】
通気孔１０７は、土支持底部１０２の下方空間ＵＥ内の通気および採光または下方空間ＵＥに対して冷温配管１０８を通すための貫通孔であり、後述する排液管１１２の両側にそれぞれ形成されている。
【００３５】
排水溝１１０は、土収容部１０１内に供給された水や液肥などの液体を土収容部１０１の外に導くための水路であり、土支持底部１０２の下方に延びて形成されている。より具体的には、排水溝１１０は、土支持底部１０２の幅方向Ｗの中央部の位置に長手方向Ｌの両端部間に亘って凹状に窪んで形成されている。この場合、排水溝１１０の深さＤ２、すなわち、土支持底部１０２に形成された開口部１１１から排水溝１１０の最深部の距離は、土収容部１０１の深さＤ１より深い深さで形成されている。本実施形態においては、排水溝１１０は、９ｃｍに形成されている。
【００３６】
また、排水溝１１０の底部は、断面形状において下方に向かって凸状に張り出す円弧状に形成されている。この排水溝１１０の長手方向Ｌの両端部は、側板１０５ｂにそれぞれ繋がって開口しており、この各開口部分に排液管１１２がそれぞれ設けられている。排液管１１２は、排水溝１１０内に導かれた液体を排水溝１１０の外に導くための管路であり、排水溝１１０の最深部に連通する円筒体で構成されている。
【００３７】
（プランター１００の製造方法）
ここで、プランター１００の製造方法について説明する。このプランター１００は、溶融した樹脂材料を金型内に注入して成型する射出成形で成形することができる。この場合、プランター１００は、プランター１００全体を一体的に成形してもよいが、プランター１００を部分的に成形して後加工によって完成させることもできる。
【００３８】
具体的には、プランター１００は、まず、土収容部１０１、側板１０５ａ，１０５ｂおよび排水溝１１０が射出成形により一体的に成形される。次いで、プランター１００は、２つの側板１０５ｂにそれぞれ２つずつ通気孔１０７が切削加工により形成される。次いで、プランター１００は、別工程で製作しておいた２つの排液管１１２を各側板１０５ｂにそれぞれ開口する排水溝１１０の両端部にそれぞれ溶着する。これにより、プランター１００を完成させることができる。
【００３９】
また、プランター１００を構成する樹脂材料としては、例えば、硬質ポリエチレンや硬質プロピレンなど硬質の熱可塑性樹脂を使用することができる。また、プランター１００は、少なくとも、土収容部１０１、側板１０５ａ，１０５ｂおよび排水溝１１０を黒色に形成することができる。本実施形態においては、プランター１００は、全体が黒色に形成されている。また、プランター１００は、樹脂材料以外の材料、例えば、金属材料や木材で構成することもできる。
【００４０】
（プランター１００の作動）
次に、このように構成したプランター１００の作動について説明する。プランター１００を用いて植物Ｐの栽培を行う作業者は、まず、プランター１００を用意する。この場合、作業者は、プランター１００を単体で使用することができるが、複数のプランター１００を並べて使用することもできる。この場合、作業者は、例えば、図４に示すように、複数のプランター１００を互いに長手方向Ｌに沿って配置するとともに、互いに隣接するプランター１００同士を連結して使用することができる。
【００４１】
具体的には、作業者は、互いに隣接して対向し合う排液管１１２同士を連結配管ＪＰなどを用いて連結することができる。この場合、作業者は、連結配管ＪＰとして可撓性を有しない金属製または樹脂製のパイプを用いて連結してもよいが、可撓性を有するゴムホースを用いて連結することにより設置面Ｇに凹凸や長手方向Ｔの高さに相違があってもプランター１００同士を精度良く連結することができる。また、プランター１００は、屋外に設置することもできるが、室内や温室ハウス内に配置することもできる。
【００４２】
次に、作業者は、土Ｓおよび植物Ｐをそれぞれ用意する。この場合、作業者は、土Ｓとして、ココナッツバッグＣＢを用意することができる。ココナッツバッグは、ココナッツ殻から繊維質を取り除いた残存物であるココナッツダストを乾燥させてチップ状に圧縮成形したものを土Ｓとして樹脂製の袋内に詰めたものである。また、作業者は、植物Ｐとして、植物Ｐのタネまたは苗を用意することができる。
【００４３】
次に、作業者は、土Ｓをプランター１００内に収容する。具体的には、作業者は、ココナッツバッグＣＢを土収容部１０１内にセットする。この場合、作業者は、ココナッツバッグＣＢの底面にキリなどの道具を用いて水抜き用の貫通孔ＳＨを複数個形成した上で土収容部１０１内に収容する。
【００４４】
次に、作業者は、植物Ｐを土Ｓ内に植える。具体的には、作業者は、図５に示すように、ココナッツバッグＣＢの上面を刃物を用いて切って開口し土Ｓ内に植物Ｐの種または苗を植える。そして、作業者は、ココナッツバッグＣＢ内の植物に水や肥料を適宜与えて栽培を開始する。
【００４５】
この植物Ｐの栽培過程において、ココナッツバッグＣＢ内に供給された水や液肥などの液体は、ココナッツバッグＣＢの底面に開けた貫通孔ＳＨを介して土収容部１０１における底部０２を介してまたは同貫通孔ＳＨから直接排水溝１１０に導かれる。そして、排水溝１１０に導かれた液体は排水溝１１０の両端部にそれぞれ設けられた排液管１１２を介して排水溝１１０の外に排水される。
【００４６】
また、植物Ｐの栽培過程においては、植物Ｐの根が伸びてココナッツバッグＣＢの底面に開けた貫通孔ＳＨから抜け出ることがある。しかし、プランター１００は、排水溝１１０が土支持底部１０２の一部にのみ形成されているため、植物Ｐの根の全てが排水溝１１０に到達し難くなっている。また、プランター１００は、排水溝１１０の深さＤ２が土収容部１０１の深さＤ１より深い深さで形成されているため、植物Ｐの根が排水溝１１０の底部に到達し難くなっている。これにより、プランター１００は、排水溝１１０内の排水性を長期間維持できるとともに植物Ｐの根腐れを防止することができる。
【００４７】
また、この場合、植物Ｐは根の成長とともに葉や茎も成長する。したがって、プランター１００は、植物Ｐの根が排水溝１１０の底部の最深部に到達する前に植物Ｐの一部または全部を収穫できる程度まで成長させることができる。これにより、プランター１００は、植物Ｐを根腐れなく健全に育成することができる。
【００４８】
また、作業者は、植物Ｐの栽培過程において、図４および図５にそれぞれ示すように、土支持底部１０２の下方空間ＵＥに温風を供給する冷温配管１０８を設けることもできる。具体的には、作業者は、側板１０５ｂに形成した通気孔１０７を介して冷温配管１０８を設ける。この場合、冷温配管１０８は、塩ビ管で構成されるとともに、塩ビ管の壁面に温風を下方領域ＵＥ内に流出させるための流出孔１０８ａが複数形成されている。
【００４９】
そして、作業者は、冷温配管１０８が繋がれた図示しない温風発生器を作動させて冷温配管１０８を介して土支持底部１０２の下方空間ＵＥに温風を供給する。これにより、プランター１００は、土支持底部１０２の下方空間ＵＥが側板１０５ａ，１０５ｂによって覆われているため、下方空間ＵＥ内の温度を上昇させて土Ｓの温度を上昇させることができ植物Ｐの育成を促進させることができる。この場合、プランター１００は、下方空間ＵＥに隣接して排水溝１１０が設けられているため、排水溝１１０内の液体の凍結を防止して排水性を確保することができる。
【００５０】
なお、冷温配管１０８は、温風に代えて冷風、温水または冷水を供給するようにしてもよい。また、図４においては、冷温配管１０８を二点鎖線で示している。また、冷温配管１０８は、流出孔１０８ａを省略して温風、冷風、温水または冷水を外部に流出させず流通させるのみでもよい。また、冷温配管１０８は、シート状のポリ塩化ビニル材を筒状に形成したホースで構成することもできる。
【００５１】
上記作動説明からも理解できるように、上記第１実施形態によれば、プランター１００は、土収容部１０１の土支持底部１０２に帯状に開口した状態で排水溝１１０を有するとともに、この排水溝１１０の深さＤ２が土収容部１０１の深さＤ１より深く形成されているため、土収容部１０１内の水や液肥を効率的に排水溝１１０に導きつつ土収容部１０１で栽培している植物Ｐの根が排水溝１１０の底部に到達し難くなる。これにより、本発明に係るプランター１００は、排水溝１１０内の排水性を長期間維持できるとともに根腐れを防止して植物Ｐを健全に育成することができる。
【００５２】
（第２実施形態）
次に、本発明に係るプランターの一実施形態である第２実施形態について図面を参照しながら説明する。この第２実施形態におけるプランター１００は、図６〜図８にそれぞれ示すように、上記第１実施形態におけるプランター１００に対して、主として、固定部１２０、蓋体１３０および配管支持体１４０を備えるとともに段部１０６を有しない点が異なる。したがって、この第２実施形態におけるプランター１００においては、上記第１実施形態におけるプランター１００と異なる部分を中心に説明して、両実施形態において共通する部分や対応する部分については適宜説明を省略する。
【００５３】
固定部１２０は、プランター１００を設置面Ｇに固定するための部分であり、側板１０５ｂの下端部における幅方向Ｗの両端部から外側に張り出してそれぞれ形成されている。これらの固定部１２０には、貫通孔１２１がそれぞれ形成されている。したがって、作業者は、貫通孔１２１に貫通した状態で釘状の杭１２２を打ち込むことでプランター１００を設置面Ｇに固定することができる。
【００５４】
蓋体１３０は、土収容部１０１の上面を覆う部品であり、樹脂材を板状に形成して構成されている。この蓋体１３０は、中央部に植物Ｐを貫通させるための貫通孔１３１が形成されるとともに、幅方向Ｗの両端部に側壁１０４の上端部に嵌め込むための嵌合片１３２が形成されている。一方、土収容部１０１を構成する側壁１０４の上端部には、外側に向かって水平に屈曲した水平部１０４ａが形成されており、この水平部１０４ａに前記嵌合片１３２が嵌合する嵌合孔１０４ｂが形成されている。
【００５５】
したがって、作業者は、土収容部１０１の上面を覆いたい場合、例えば、土収容部１０１内に収容した土Ｓの飛散や害虫の侵入を防ぎたい場合などには、蓋体１３０の嵌合片１３２を嵌合孔１０４ｂに嵌め込むことで土収容部１０１の上面を覆うことができる。これにより、土収容部１０１内での苔、藻または細菌の繁殖を抑制でき、土収容部１０１内の衛生環境を良好に保つことができるとともに清掃負担を軽減することができる。なお、蓋体１３０は、嵌合孔１０４ｂから嵌合片１３２を抜くことで土収容部１０１上から取り外すこともできる。
【００５６】
配管支持体１４０は、土収容部１０１内の土Ｓに水や液肥を供給するための配管である供給配管ＳＰを支持するための部品であり、樹脂材を断面形状がＬ字状に延びるフレーム状に形成して構成されている。この配管支持体１４０の下端部には、側壁１０４の上端部に嵌め込むための嵌合片１４１が形成されている。一方、側壁１０４の上端部には、前記水平部１０４ａの外縁部が更に下方に下垂して下垂部１０４ｃが形成されるとともに、この下垂部１０４ｃに嵌合孔１０４ｄが形成されている。嵌合孔１０４ｄは、後述する嵌合片１４１が嵌め込まれる貫通孔である。
【００５７】
したがって、作業者は、土収容部１０１の周囲に供給配管ＳＰを配置する場合には、配管支持体１４０における嵌合片１４１を側壁１０４における嵌合孔１０４ｄに嵌め込むことで供給配管ＳＰを土収容部１０１の長手方向Ｌに沿って設けることができる。そして、作業者は、土収容部１０１に設けた配管支持体１４０上に供給配管ＳＰを配置して、図示しない給水装置または液肥供給装置を作動させて供給配管ＳＰを介して土収容部１０１内の植物Ｐに水や液肥を供給することができる。
【００５８】
また、この第２実施形態においては、土収容部１０１内に土Ｓを収容している。この場合、作業者は、土収容部１０１内に開口する排水溝１１０の開口部１１１にフィルタ１５０を配置しておく。フィルタ１５０は、水や液肥などの液体を透過させつつ土Ｓを透過させない程度の網目を持つ樹脂製の板状体であり、開口部１１１を覆う大きさに形成されている。これにより、土収容部１０１内に収容した土Ｓが排水溝１１０に流出することを防ぐことができるとともに、植物Ｐの根が排水溝１１０内に進入することも防ぐことができる。
【００５９】
また、フィルタ１５０は、幅方向Ｗの長さを長くすることにより、傾斜した土支持底部１０２上での高さ方向の配置を上昇させることができる。すなわち、フィルタ１５０は、土収容部１０１内に収容した土Ｓや植物Ｐの根が排水溝１１０に導かれることを防止しつつ土収容部１０１の深さＤ１を浅くすることができる。
【００６０】
さらに、本発明の実施にあたっては、上記各実施形態に限定されるものではなく、本発明の目的を逸脱しない限りにおいて種々の変更が可能である。なお、下記各変形例において、上記実施形態と同様の構成部分については同じ符号を付して、その説明を省略する。
【００６１】
例えば、上記各実施形態においては、排水溝１１０は、土支持底部１０２における幅方向Ｗの中央部に形成した。しかし、排水溝１１０は、例えば、図９（ａ）に示すように、土支持底部１０２における幅方向Ｗの一端側に形成するようにしてもよい。この場合、図９（ａ）に示すように、４つの壁状の側壁１０４は、必ずしも土支持底部１０２の外周部から直接起立していなくてもよく、側板１０５ａ（または側板１０５ｂ）にのみ繋がって形成されていてもよい。
【００６２】
また、排水溝１１０は、例えば、図９（ｂ）に示すように、土支持底部１０２における幅方向Ｗの両端部にそれぞれ形成するようにしてもよい。この場合、土支持底部１０２は、幅方向Ｗの中央部から両端部の排水溝１１０に向かってそれぞれ下降傾斜するように形成するとよい。これによれば、プランター１００は、土支持底部１０２の両端部に設けられた２つの排水溝１１０に早期に液体を導くことができる。また、排水溝１１０は、土支持底部１０２の幅方向Ｗに亘って１列または複数列に形成してもよい。
【００６３】
また、上記各実施形態においては、プランター１００は、４つの側板１０５ａ，１０５ｂによって自立している。しかし、プランター１００は、側板１０５ａ，１０５ｂを省略して構成することもできる。この場合、プランター１００は、例えば、土支持底部１０２の四隅から下方に突出する脚を設けたり、別途、プランター１００を支持する架台を用意しても良い。また、プランター１００は、排水溝１１０の底部に水平方向に延びる足部を設けて排水溝１１０によって自立するように構成することもできる。また、プランター１００は、側板１０５ａ，１０５ｂのうちのどちらか一方のみを備えて構成することもできる。
【００６４】
また、上記各第実施形態においては、排水溝１１０は、土支持底部１０２における互いに対向する外縁部間に延びて形成されている。しかし、排水溝１１０は、土支持底部１０２における少なくとも一部に帯状に下方に向かって張り出して形成されていればよい。したがって、排水溝１１０は、例えば、土支持底部１０２における中央部に土支持底部１０２の両端部に横断または縦断することのない帯状に形成することができる。この場合、排水溝１１０は、土支持底部１０２の下方空間ＵＥ内で排液管１１２を備えるようにしてもよいし、上記各実施形態と同様に側板１０５ｂを貫通した状態で排液管１１２を備えるようにしてもよい。すなわち、排水溝１１０は、必ずしも側板１０５ｂに連結されている必要はない。
【００６５】
また、上記各第実施形態においては、プランター１００は、全体が黒色に形成されている。しかし、プランター１００は、黒色以外の色、例えば、赤色、青色、緑色、茶色、紫色、白色または透明色で形成されていてもよい。
【００６６】
また、上記各第実施形態においては、排水溝１１０は、底部の形状を円弧状に形成した。しかし、排水溝１１０は、底部の形状を円弧状以外の形状、例えば、Ｖ字状、Ｗ字状または方形状に形成することもできる。
【００６７】
また、上記各第実施形態では、プランター１００を平面視で長方形状に形成した。しかし、プランター１００は、平面視で長方形状以外の形状、例えば、正方形状、円筒状または多角形状に形成することもできる。
【００６８】
また、上記各第実施形態では、側板１０５ａに段部１０６を形成して構成した。これにより、プランター１００は、側板１０５ａが土支持底部１０２の両端部の外側に形成されるため土収容部１０１を安定的に支持することができるとともに、段部１０６によって側板１０５ａの剛性を高めることができる。しかし、側板１０５ａは、段部１０６を省略して一直線状に形成してもよいし、下方に向かって広がる末広がりの形状に形成してもよい。
【００６９】
また、上記各実施形態においては、排水溝１１０の深さＤ２を９ｃｍに設定した。しかし、排水溝１１０の深さＤ２は、土収容部１０１の深さＤ１よりも深く形成されていればよい。この場合、土収容部１０１の深さＤ１は、植物Ｐを収穫可能な程度にまで育成するために必要な土Ｓの深さを確保できる深さに設定される。具体的には、土収容部１０１の深さＤ１は、例えば、植物Ｐが葉物野菜や草花である場合には、概ね５ｃｍ〜２０ｃｍが適当である。したがって、排水溝１１０の深さＤ２は、土収容部１０１の深さＤ１と同じ深さ以上、好ましくは、土収容部１０１の深さＤ１の１.２倍〜２.５倍、より好ましくは、土収容部１０１の深さＤ１の１.２倍〜１.５倍に設定するとよい。
【００７０】
また、上記各実施形態においては、土収容部１０１の土支持底部１０２を開口部１１１に向かって下り傾斜とした。しかし、土収容部１０１の土支持底部１０２は、開口部１１１に水や液肥などの液体を導くことができればよく、例えば、水平に形成されていてもよい。
【００７１】
また、上記第１実施形態においては、排水溝１１０の底部が延びる方向上に設けた２つの側板１０５ｂにそれぞれ２つずつの通気口１０７を形成した。しかし、通気口１０７は、１つの側板１０５ｂに少なくとも１つ設けられていればよい。また、通気口１０は、例えば、図１の二点線で示すように、排水溝１１０に沿って延びる側板１０５ａに設けることもできる。これによれば、下方領域ＵＥ内から温風、冷風、温水または冷水を流出させてプランター１００が設置されている栽培ハウスなどの空間内の温度もコントロールすることができる。
【００７２】
また、上記第１実施形態においては、通気孔１０７に冷温配管１０８を通した。しかし、プランター１００は、必ずしも通気孔１０７に冷温配管１０８を通す必要はなく、冷温配管１０８を省略して構成することもできる。この場合、プランター１００は、土収容部１０１の下方空間ＵＥが側板１０５ａ，１０５ｂに設けられた通気孔１０７を介して外部と連通しているため通気性および採光性を確保して下方空間内の環境が悪化（空気の滞留、カビや害虫の発生）することを防止することができる。
【符号の説明】
【００７３】
Ｐ…植物、Ｓ…土、ＵＥ…下方空間、ＪＰ…連続配管、ＣＢ…ココナッツバッグ、ＳＨ…貫通孔、ＳＰ…供給配管、Ｌ…長手方向、Ｗ…幅方向、Ｄ１…土収容部の深さ、Ｄ２…排水溝の深さ、Ｇ…設置面、
１００…プランター、１０１…土収容部、１０２…土支持底部、１０３…リブ、１０４…側壁、１０４ａ…水平部、１０４ｂ…嵌合孔、１０４ｃ…下垂部、１０４ｄ…嵌合孔、１０５ａ，１０５ｂ…側板、１０６…段部、１０７…通気孔、１０８…冷温配管、１０８ａ…流出孔、
１１０…排水溝、１１１…開口部、１１２…排液管、
１２０…固定部、１２１…貫通孔、１２２…杭、
１３０…蓋体、１３１…貫通孔、１３２…嵌合片、
１４０…配管支持体、１４１…嵌合片、
１５０…フィルタ。
【要約】
【課題】栽培している植物の根が排水用の溝内に到達し難くして溝内の排水性を長期間維持できるとともに根腐れを防止して植物を健全に育成することができるプランターを提供する。
【解決手段】プランター１００は、土収容部１０１を備えている。土収容部１０１は、植物Ｐを植える土Ｓを下方から支持する土支持底部１０２の外周部に側壁１０４が起立した状態で設けられて構成されている。土支持底部１０２の中央部には、土支持底部１０２の互いに対向する端部間に亘って帯状に開口しつつ下方に向かって有底状に張り出した排水溝１１０が形成されている。この排水溝１１０の深さＤ２は、土収容部１０１の深さＤ１よりも深く形成されている。また、土支持底部１０２の外周部には、側壁１０４と連続した状態で排水溝１１０の下端部よりも下方まで延びる側板１０５ａ，１０５ｂが形成されている。
【選択図】  図５【図１】
0006013633.tif 000002
【図２】
0006013633.tif 000003
【図３】
0006013633.tif 000004
【図４】
0006013633.tif 000005
【図５】
0006013633.tif 000006
【図６】
0006013633.tif 000007
【図７】
0006013633.tif 000008
【図８】
0006013633.tif 000009
【図９】
0006013633.tif 000010